(57)【要約】【課題】操作に不慣れな操作者が、複数の機能の中から所望の機能を容易に選択し、設定することができる画像形成装置を提供する。【解決手段】複数の機能を備え、ユーザにより選択された機能を反映したプリント結果を出力する画像形成装置において、ユーザに操作される設定画面を表示しつつ、各種プリント条件の設定に先立ち、所定のプリント出力形態に対応した機能を選択し、上記機能の選択後、その機能をプリント結果に反映させるための操作手順を設定し、上記設定画面とともに、設定された操作手順に応じた操作ガイドを表示させる。【選択図】図９
2008033199.tif 000002
【特許請求の範囲】
【請求項１】
複数の機能を備え、ユーザにより選択された機能を反映したプリント結果を出力する画像形成装置において、
ユーザに操作される設定画面を表示する表示手段と、
各種プリント条件の設定に先立ち、所定のプリント出力形態に対応した機能を選択する機能選択手段と、
上記機能選択手段を介した機能の選択後、その機能をプリント結果に反映させるための操作手順を設定する操作手順設定手段と、
上記設定画面とともに、上記操作手順設定手段により設定された操作手順に応じた操作ガイドを上記表示手段に表示させる操作ガイド提供手段と、を有していることを特徴とする画像形成装置。
【請求項２】
更に、複数の機能の中から所定の機能を検索する機能検索手段を有していることを特徴とする請求項１記載の画像形成装置。
【請求項３】
ユーザによる操作ミスの発生に応じて、再設定を促す警告メッセージを上記表示手段に表示させる警告手段を有していることを特徴とする請求項１又は２に記載の画像形成装置。
【請求項４】
上記設定画面を表示する表示手段とは別に、上記操作ガイドを表示する表示手段が設けられていることを特徴とする請求項１〜３のいずれか一に記載の画像形成装置。
【請求項５】
複数の機能を備え、ユーザにより選択された機能を反映したプリント結果を出力する画像形成装置に、
ユーザに操作される設定画面を表示する手順と、
各種プリント条件の設定に先立ち、所定のプリント出力形態に対応した機能を選択する手順と、
上記機能の選択後、その機能をプリント結果に反映させるための操作手順を設定する手順と、
上記設定画面とともに、設定された操作手順に応じた操作ガイドを表示させる手順と、を実行させる機能設定プログラム。
【発明の詳細な説明】
【技術分野】
【０００１】
本発明は、画像形成装置及び操作ガイドプログラムに関する。
【背景技術】
【０００２】
近年、プリンタ機能，ファクシミリ機能，コピー機能，スキャナ機能，ボックス機能など複数の機能をもつ多機能複合機（Multiple Function Peripheral：以下、ＭＦＰと略記）が普及しつつあるが、かかるＭＦＰでは、多機能化に伴い、単一機能を組み合わせて直感的に選択して操作することが難しくなってきている。これに対応して、最近のＭＦＰでは、操作部における各キーの機能の説明を必要に応じて表示パネルに表示させるためのガイダンスキーが設けられるようになってきた。
【０００３】
また、操作者が複数の機能の中から所望の機能を容易に選択し得るように、特開平５−２１６３１３号公報（特許文献１）では、操作者が選択した使用目的に応じて、使用目的に係わる最も重要な機能に関する設定を行うための設定画面が操作パネル上に優先的に表示される複写機が提案されている。かかる複写機によれば、例えば使用目的としてファイリングが選択されると、実質的な操作のための第１番目の設定画面として、ファイリングに係わる最も重要なパンチ穴機能に関する設定を行うための設定画面が表示される。
【０００４】
【特許文献１】特開平５−２１６３１３号公報
【発明の開示】
【発明が解決しようとする課題】
【０００５】
しかしながら、単に操作部における各キーの機能の説明を表示させるガイダンスキーが設けられた複写機では、不慣れな操作者にとって、所望の機能の設定画面を表示させたり、設定画面表示後の更なる選択方法を表示させたりするのに、時間と労力を浪費するおそれがあった。また、上記特許文献１に開示される複写機では、使用目的に係わる最も重要な機能に関する設定を行うための設定画面が操作パネル上に優先的に表示されるものの、やはり、単一機能が順次に組み合わせられて最終機能が設定されるため、同様に、不慣れな操作者にとっては機能の設定が難しく、時間と労力を浪費するおそれがあり、場合によっては、所望でないプリント結果が出力されるおそれがあった。
【０００６】
この発明は、上記技術的課題に鑑みてなされたもので、操作に不慣れな操作者が、複数の機能の中から所望の機能を容易に選択し、設定することができる画像形成装置及び機能設定プログラムを提供することを目的とする。
【課題を解決するための手段】
【０００７】
そこで、本願の請求項１に係る発明は、複数の機能を備え、ユーザにより選択された機能を反映したプリント結果を出力する画像形成装置において、ユーザに操作される設定画面を表示する表示手段と、各種プリント条件の設定に先立ち、所定のプリント出力形態に対応した機能を選択する機能選択手段と、上記機能選択手段を介した機能の選択後、その機能をプリント結果に反映させるための操作手順を設定する操作手順設定手段と、上記設定画面とともに、上記操作手順設定手段により設定された操作手順に応じた操作ガイドを上記表示手段に表示させる操作ガイド提供手段と、を有していることを特徴としたものである。
【０００８】
また、本願の請求項２に係る発明は、請求項１に係る発明において、複数の機能の中から所定の機能を検索する機能検索手段を有していることを特徴としたものである。
【０００９】
更に、本願の請求項３に係る発明は、請求項１又は２に係る発明において、ユーザによる操作ミスの発生に応じて、再設定を促す警告メッセージを上記表示手段に表示させる警告手段を有していることを特徴としたものである。
【００１０】
また、更に、本願の請求項４に係る発明は、請求項１〜３に係る発明のいずれかにおいて、上記設定画面を表示する表示手段とは別に、上記操作ガイドを表示する表示手段が設けられていることを特徴としたものである。
【００１１】
また、更に、本願の請求項５に係る発明は、複数の機能を備え、ユーザにより選択された機能を反映したプリント結果を出力する画像形成装置に、ユーザに操作される設定画面を表示する手順と、各種プリント条件の設定に先立ち、所定のプリント出力形態に対応した機能を選択する手順と、上記機能の選択後、その機能をプリント結果に反映させるための操作手順を設定する手順と、上記設定画面とともに、設定された操作手順に応じた操作ガイドを表示させる手順と、を実行させる機能設定プログラムである。
【発明の効果】
【００１２】
本願の請求項１に係る発明によれば、最終プリント出力形態に反映される機能が最初に設定されて、その機能から操作手順が導き出され、操作ガイドウィンドウを伴った設定画面が切り替えられるため、操作に不慣れな操作者が、複数の機能の中から所望の機能を容易に選択し、操作することができる。
【００１３】
また、本願の請求項２に係る発明によれば、機能検索が可能であるため、所望の機能を効率的に設定することができる。
【００１４】
更に、本願の請求項３に係る発明によれば、ユーザによる操作ミスの発生に応じて警告が行われるため、警告があった場合に、ユーザが適宜設定変更することで回復することが可能であり、所望のプリント結果が実現可能である。
【００１５】
また、更に、本願の請求項４に係る発明によれば、上記操作ガイドを表示する表示手段が設けられるため、別の表示手段に表示される設定画面の視認性や操作性を確保することができる。
【００１６】
また、更に、本願の請求項５に係る発明によれば、最終プリント出力形態に反映される機能が最初に設定されて、その機能から操作手順が導き出され、操作ガイドウィンドウを伴った設定画面が切り替えられるため、操作に不慣れな操作者が、複数の機能の中から所望の機能を容易に選択し、操作することができる。
【発明を実施するための最良の形態】
【００１７】
以下、本発明の実施形態について、添付図面を参照しながら説明する。なお、この実施形態では、特許請求の範囲に記載の画像形成装置として、ＭＦＰを取り上げる。
図１は、本発明の実施形態に係るＭＦＰ１０の内部構成をあらわすブロック図である。ＭＦＰ１０は、装置本体の基本制御を行うためのファームウェアプログラムに基づき各種の命令を実行させるなどして、ＭＦＰ１０内の各構成を制御するＣＰＵ２１と、ＣＰＵ２１による制御の基になるプログラムを格納するＲＯＭ２２と、プログラムの実行に必要なワークエリアや外部から送信されてきたジョブデータを一時的に格納するＲＡＭ３と、各種プログラム及びデータを格納するハードディスク（図中の「ＨＤ」）４と、操作者による各種の設定入力を可能とするタッチパネル式の表示パネル５０（図２参照）を備えた操作部５と、原稿を読み取り、例えばビットマップ形式の画像データを取得する操作部６と、ジョブデータに基づき用紙等の記録媒体に対してプリントを実行する印刷部７と、ジョブデータ等の各種データの送受信を外部と行なうためのインターフェース部（図中の「Ｉ／Ｆ」）８と、を有している。これらの構成は、バスを介して互いにデータ送受信可能に接続されている。
【００１８】
図２は、ＭＦＰ１０に搭載された操作部５を拡大して示す図である。この操作部５には、各種画面が切替え表示される表示パネル５０が設けられるとともに、主要なハードキーとして、コピー，スキャン，ファクス等の処理の実行開始を指示するためのスタートキー５１と、標準モードの戻すためのリセットキー５２と、ガイダンス機能の使用に際して押し下げられるヘルプキー（ガイダンスキー）５３と、プリント枚数等の数値を入力するためのテンキー５３と、テンキー５３で入力された数値をクリアするためのクリアキー５４と、連続コピー中にコピーを中断させるためのストップキー５５と、印刷部７の使用中に緊急にコピーをとりたい場合に割り込んでコピーをとる場合に用いられる割込みキー５６と、個人別又は部門別にコピー枚数を管理するための暗証キー５７（図中、「ＩＤ」と付されたキー）と、装置に搭載された「ボックス」，「スキャン」，「ファクス」，「コピー」モードのいずれかを設定するためのモード設定キー５８と、が設けられている。
【００１９】
この図２では、表示パネル５０にコピーモード時における基本画面が表示された状態が示されているが、本実施形態では、この状態からヘルプキー５３が押し下げられると、ユーザが装置１０に搭載された複数の機能の中から所望の機能を設定するに先立ち、まず、機能検索画面（図４参照）が表示パネル５０に表示される。この機能検索画面に検索され選択された機能が、ユーザが操作ガイドウィンドウの内容に従い装置を操作することで設定されることとなる。なお、従来では、例えば、基本画面が表示された状態からヘルプキー５３が押し下げられると、「コピー」，「スキャン」，「ファクス」等のより上位概念の機能についての説明が表示されることが一般的である。
【００２０】
以下では、かかるガイダンス機能について説明する。まず、本実施形態に係るガイダンス機能をより明確にするために、従来知られたガイダンス機能について説明する。図３は、従来のガイダンス機能を伴う所定機能の設定の流れの間に操作部５の表示パネル５０に表示される画面を示す図である。なお、所定機能として、ここでは、例えば本のコピー等、左右のページを１枚の用紙又は別の用紙に１回のスタートキー押下げにより複写する「ブック連写」機能を取り上げる。
【００２１】
まず、コピーモードが設定されると、操作部５の表示パネル５０には、基本画面Ｐ１が表示される。この基本画面Ｐ１において、応用設定キーが押し下げられると、画面が移行し、各種カテゴリの異なる応用機能を選択するキーが配列された機能設定画面Ｐ２が表示される。この機能設定画面Ｐ２において、連写／リピートキーが押し下げられると、続いて、「連写／リピート」のカテゴリに含まれる各種の応用機能を選択するキーが配列された連写／リピート詳細設定画面Ｐ３が表示される。
【００２２】
この連写／リピート詳細設定画面Ｐ３において、ブック連写キーが押し下げられると、画面が移行し、ブック原稿の読み取り方を指定し得る読取り方法指定キーが配列された読取り方法指定画面Ｐ４が表示される。この読取り方法指定画面Ｐ４において、見開きキー及び分割キーのいずれかが押し下げられると、押し下げられたキーが反転表示され、この時点で、ブック連写機能の設定が完了する。
【００２３】
また、読取り方法指定画面の図３に示される状態から、図２に示す操作部５に設けられたヘルプキー５３が押し下げられると、画面が移行し、ブック連写機能に属する「見開き」及び「分割」の各読取り方法について説明する機能ガイダンス画面Ｐ５が表示される。
【００２４】
なお、基本画面Ｐ１から、片面／両面キーが押し下げられると、片面／両面印刷設定画面Ｐ６が表示され、両面印刷及び片面印刷のいずれか（片面＞片面，片面＞両面，両面＞片面，片面）が設定可能となる。更に、他の応用機能を設定する場合には、同様の操作が進められ、「基本設定」，「集約／原稿」，「画質／濃度」キーのいずれかが押し下げられることで、設定が終了する。
【００２５】
このように、従来のガイダンス機能によれば、階層的に構成された設定項目が順次に選択され、目標の機能が設定されるようになっており、また、ガイダンス機能としては、通常、ヘルプキー５３が押し下げられた時点に画面上に表示された各キーに対応した機能の説明のみが表示されるようになっており、慣れた操作者にとっては操作回数も少なく使い易いものの、不慣れな操作者にとっては、選択可能なキーが全て対等に配列されるため、選択すべきキーが分かりにくく、使い勝手が悪い。更に、一般には、各設定項目の名称がメーカー毎に異なり汎用的でないことも、操作者にとって分かりにくく、使い勝手が悪い要因である。
【００２６】
続いて、本実施形態に係るガイダンス機能について説明する。前述したように、本実施形態に係るガイダンス機能によれば、操作部５の表示パネル５０に基本画面が表示された状態から操作部５に設けられたヘルプキー５３が押し下げられると、図４に示すような機能検索画面が表示される。この画面上で、ユーザにより、所望の最終プリント出力形態の名称の頭文字が該当する行キー又はアルファベットキー（検索キー）が選択され、ＯＫボタンが押し下げられると、検索が開始される。ここでは、一例として、「は」行のキーが選択された状態が示されている。なお、機能検索画面では、行キー又はアルファベットキーが配列される代わりに、キーワードを入力するための空欄が設けられ、キーワード検索が行われるようにしてもよい。
【００２７】
検索の結果、図５に示すような検索結果画面が表示される。ここでは、「ブック連写」機能及び「ページ編集」機能が検索結果として挙げられている。この画面から「ブック連写」機能及び「ページ編集」機能のいずれかが選択され、ＯＫボタンが押し下げられると、各機能の設定ガイダンスが開始される。以下では、「ブック連写」機能の設定ガイダンスが行われる例を取り上げて説明する。
【００２８】
本実施形態では、設定ガイダンスとして、まず、表示パネル５０上に、通常の手順を示すために、図３に示した画面Ｐ１〜Ｐ４が一定の時間間隔（例えば１秒間隔）で切り替えられつつ順次に表示される。そして、読取り方法指定画面Ｐ４上でいずれかのキーが押し下げられた状態まで表示され、その後、基本画面Ｐ１に戻る。
【００２９】
基本画面Ｐ１に戻った後には、操作ガイドウィンドウが重ね表示された画面Ｑ１〜Ｑ４（図６参照）が、ユーザによる操作スピードに応じて表示される。まず、基本画面Ｐ１（図３参照）に操作ガイドウィンドウが重ね表示されてなる第１の画面Ｑ１が表示される。この操作ガイドウィンドウには、「原稿カバーを開き、原稿を図のように置いて下さい」というメッセージとともに、原稿カバーを開けて原稿をプラテン上に載置するイメージ図が含まれている。
【００３０】
かかる操作ガイドウィンドウの内容に従い、ユーザがプラテン上に原稿を置き、それが検出されると、片面／両面印刷設定画面Ｐ６（図３参照）に操作ガイドウィンドウが重ね表示されてなる第２の画面Ｑ２が表示される。この操作ガイドウィンドウには、「片面にコピーするのか、両面にコピーをするのか選択してください」というメッセージとともに、片面コピー及び両面コピーの選択時に取得される最終プリント出力形態をあらわすイメージ図が含まれている。
【００３１】
かかる操作ガイドウィンドウの内容に従い、ユーザが片面＞片面キー又は片面＞両面キーを押し下げた上で、ＯＫボタンを押し下げ、それが検出されると、続いて、基本画面Ｐ１（図３参照）に、設定終了キーを含む操作ガイドウィンドウが重ね表示されてなる第４の画面Ｑ４が表示される。この操作ガイドウィンドウには、「出力イメージは下記のようになります。良ければ、終了キーを押し、スタートキーを押してください」というメッセージとともに、第２の画面Ｑ２上で選択された項目を反映した最終プリント出力形態をあらわすイメージ図及び設定終了ボタンが含まれている。図６に示される第４の画面Ｑ４は、第２の画面Ｑ２上でユーザにより片面＞両面キーが押し下げられたのに応じて表示されるものである。第４の画面Ｑ４上で設定終了ボタンが押されると、両面コピーを伴うブック連写機能が設定される。
【００３２】
なお、第２の画面Ｑ２上で、ユーザが与えられた選択肢以外の操作、具体的には、片面＞片面キー又は片面＞両面キー以外のキーを押し下げ、それが検出されると、片面／両面印刷設定画面Ｐ６（図３参照）に、ユーザに再設定を促すための警告メッセージを含む操作ガイドウィンドウが重ね表示されてなる第３の画面Ｑ３が表示される。この操作ガイドウィンドウには、「片面にコピーするのか、両面にコピーをするのか選択してください」に加えて、「以下のキーのどちらかを選択して下さい  片面＞片面    両面＞両面」のメッセージが含まれている。この第３の画面上で正しい操作が行われると、第４の画面Ｑ４が表示される。
【００３３】
図７及び８は、それぞれ、前述した図４及び５に対応する図であって、ここでは、図７に示す機能検索画面では、「さ」キーが選択されており、その検索結果として、図８に示されるように、「小冊子設定をする」，「スタンプ設定をする」，「章分け設定をする」が挙がっている。
【００３４】
続いて、図９及び１０は、「ブック連写」機能の設定が前提とされ、片面＞両面又は片面＞片面の条件設定が行われる機能設定処理についてのフローチャートである。なお、ここでは、ステップ＃１１〜＃２７が、本発明に係る操作ガイドを伴う処理についてのフロー、また、ステップ＃１１，＃１２及び＃２８〜＃３７が、従来の流れに対応するフローに対応している。
【００３５】
この処理では、まず、操作部５の表示パネル５０に、図３に示す基本画面Ｐ１が表示される（＃１１）。次に、応用設定キー（図３参照）が押し下げられたか否かが判断され（＃１２）、その結果、応用設定キーが押し下げられたと判断された場合には、従来知られる設定方法を採用するために、符号Ａを介して、図１０中のステップ＃２８へ進む。また、一方、応用設定キーが押し下げられていないと判断された場合には、続いて、ヘルプキー５３（図２参照）の押下げが検出される（＃１３）。
【００３６】
ヘルプキー５３の押下げが検出されると、図４に示す検索画面が表示される（＃１４）。次に、検索キーが押し下げられたか否か、つまり、図４に示される行キー又はアルファベットキーが選択され、ＯＫボタンが押し下げられたか否かが判断され（＃１５）、その結果、検索キーが押し下げられていないと判断された場合には、ステップ＃１５が繰り返され、他方、検索キーが押し下げられたと判断された場合には、検索が行われた後、検索結果が表示される（＃１６）。
【００３７】
その後、ブック連写キーの押下げ、すなわち、「ブック連写」機能が選択されたことが検出され（＃１７）、続いて、ＭＦＰのプラテン上に原稿の載置を促すガイダンス表示が行われる、つまり、図６に示す第１の画面Ｑ１が表示される（＃１８）。かかるガイダンス表示後、プラテン上に原稿が検出されたか否かが判断される（＃１９）。その結果、原稿が検出されないと判断された場合には、ステップ＃１９が繰り返され、他方、原稿が検出されたと判断された場合には、続いて、図６に示す第２の画面Ｑ２のような操作ガイドウィンドウを含む片面／両面印刷の選択画面が表示される（＃２０）。
【００３８】
ステップ＃２０の後、片面＞片面キー又は片面＞両面キーのいずれかが押し下げられたか否かが判断され（＃２１）、その結果、片面＞片面キー及び片面＞両面キーのいずれでもないキーが押し下げられたと判断された場合には、図６に示す第３の画面Ｑ３のような警告表示が行われた上で（＃２２）、ステップ＃２１へ戻り、それ以降のステップが繰り返される。他方、ステップ＃２１の結果、いずれかのキーが押し下げられたと判断された場合には、続いて、片面＞両面キーが選択されたか否かが判断される（＃２３）。
【００３９】
ステップ＃２３の結果、片面＞両面キーが選択されたと判断された場合には、両面印刷が設定され（＃２４）、他方、片面＞片面キーが選択されたと判断された場合には、片面印刷が設定される（＃２５）。ステップ＃２４又は＃２５の後には、スタートキーが押し下げられたか否かが判断され（＃２６）、スタートキーがまだ押し下げられていないと判断された場合には、ステップ＃２６が繰り返され、他方、スタートキーが押し下げられたと判断された場合には、印刷が実行される（＃２７）。以上で、処理が終了される。
【００４０】
また、ステップ＃２８においては、図３に示す機能設定画面Ｐ２が表示される。その後、「ブック連写」機能が選択されたことが検出されると（＃２９）、基本画面が表示される（＃３０）。その後、片面／両面キーが押し下げられたことが検出されると（＃３１）、それに応じて、片面／両面印刷の選択画面が表示される（＃３２）。
【００４１】
その後、片面＞両面キーが選択されたか否かが判断され（＃３３）、その結果、片面＞両面キーが選択されたと判断された場合には、片面＞両面印刷が設定された上で（＃３４）、他方、片面＞片面キーが選択されたと判断された場合には、片面＞片面印刷が設定された上で（＃３５）、スタートキーが押し下げられたか否かが判断される（＃３６）。
【００４２】
ステップ＃３６の結果、スタートキーが押し下げられていないと判断された場合には、ステップ＃３６が繰り返され、他方、スタートキーが押し下げられたと判断された場合には、前述したステップ＃１１，＃１２及び＃２８〜＃３６での設定内容に基づき、印刷が実行される（＃３７）。以上で処理が終了される。
【００４３】
このように、本実施形態に係るガイダンス機能によれば、従来のガイダンス機能のように単一機能が組み合わせられて最終プリント出力形態に反映される機能が設定されるのではなく、最終プリント出力形態に反映される機能が最初に設定されて、その機能から操作手順が導き出され、操作ガイドウィンドウを伴った設定画面が切り替えられる。これにより、操作に不慣れな操作者が、複数の機能の中から所望の機能を容易に選択し、操作することができる。また、操作ガイドウィンドウを伴った設定画面が、ユーザの操作の速度に応じて切り替えられるので、例えばユーザが操作を誤った場合には、適宜設定変更することで回復することが可能であり、ユーザが所望のプリント結果を得ることができる。
【００４４】
図９及び１０のフローチャートであらわされる機能設定処理は、情報処理装置１０のＲＯＭ２又はハードディスク４に格納されるプログラムが読み出されることで実行されるが、かかるプログラムは、ＭＦＰ１０のＣＰＵ１による制御の基になるプログラムの一部として予め組み込まれるものであっても、あるいは、機能設定プログラムとして、例えばＣＤ−ＲＯＭ，ＤＶＤ−ＲＯＭ等の光ディスク（不図示）又はフロッピー（登録商標）ディスク等の外部記録媒体を用いて若しくはインターネット経由でダウンロードすることで、ＭＦＰ１０にインストールされ、ハードディスク４に追加的に格納されるものであってもよい。
【００４５】
なお、本発明は、例示された実施形態に限定されるものでなく、本発明の要旨を逸脱しない範囲において、種々の改良及び設計上の変更が可能であることは言うまでもない。
例えば、前述した実施形態では、操作ガイドウィンドウが各画面上に重ね表示されたが、これに限定されることなく、特に図示しないが、操作部５の表示パネル５０に表示される各種設定画面の視認性や操作性を確保するために、操作部５の表示パネル５０とは異なるモニタが設けられ、操作ガイドウィンドウが別個に表示されてもよい。
【図面の簡単な説明】
【００４６】
【図１】本発明の実施形態に係るＭＦＰの基本的構成を示すブロック図である。
【図２】上記ＭＦＰの操作部を概略的に示す図である。
【図３】従来のガイダンス機能を伴う所定機能の設定の流れの間に操作部の表示パネルに表示される画面を示す図である。
【図４】「は」行キーが押し下げられた機能検索画面の一例を示す図である。
【図５】検索結果画面の一例を示す図である。
【図６】本実施形態に係るガイダンス機能を伴う所定機能の設定の流れの間に操作部の表示パネルに表示される画面を示す図である。
【図７】「さ」行キーが押し下げられた機能検索画面の一例を示す図である。
【図８】検索結果画面の一例を示す図である。
【図９】本実施形態に係るガイダンス機能を伴う機能設定処理に関する第１のフローチャートである。
【図１０】本実施形態に係るガイダンス機能を伴う機能設定処理に関する第２のフローチャートである。
【符号の説明】
【００４７】
１…ＣＰＵ，２…ＲＯＭ，３…ＲＡＭ，４…ハードディスク，５…操作部，６…走査部，７…印刷部，８…インターフェース部，１０…ＭＦＰ，５０…表示パネル，５１…スタートキー，５３…ヘルプキー，５８…モード設定キー。
【図１】
2008033199.tif 000003
【図４】
2008033199.tif 000004
【図５】
2008033199.tif 000005
【図７】
2008033199.tif 000006
【図８】
2008033199.tif 000007
【図９】
2008033199.tif 000008
【図１０】
2008033199.tif 000009
【図２】
2008033199.tif 000010
【図３】
2008033199.tif 000011
【図６】
2008033199.tif 000012